(57)【要約】【課題】  VODコンテンツの映像視聴を妨げずにリアルタイム情報を表示する。【解決手段】  VOD配信サーバに配信要求を行い映像情報を受信し、映像情報に基づく映像を再生するVOD受信再生装置は、リアルタイム情報を含むデジタル放送信号を受信するデジタル放送受信手段と、前記デジタル放送受信手段で受信されたデジタル放送信号からリアルタイム情報を検出するリアルタイム情報検出手段と、前記リアルタイム情報検出手段で検出されたリアルタイム情報に基づく表示画面を作成し、出力するリアルタイム情報出力手段と、前記リアルタイム情報検出手段でリアルタイム情報が検出されると、VOD配信サーバからの映像再生を自動的に一時停止させ、前記リアルタイム情報出力手段でリアルタイム情報に基づく表示画面を出力させる制御手段とを備える。【選択図】  図１
2010081459.tif 000002
【特許請求の範囲】
【請求項１】
VOD配信サーバに配信要求を行い映像情報を受信し、映像情報に基づく映像を再生するVOD受信再生装置であって、
リアルタイム情報を含むデジタル放送信号を受信するデジタル放送受信手段と、
前記デジタル放送受信手段で受信されたデジタル放送信号からリアルタイム情報を検出するリアルタイム情報検出手段と、
前記リアルタイム情報検出手段で検出されたリアルタイム情報に基づく表示画面を作成し、出力するリアルタイム情報出力手段と、
前記リアルタイム情報検出手段でリアルタイム情報が検出されると、VOD配信サーバからの映像再生を自動的に一時停止させ、前記リアルタイム情報出力手段でリアルタイム情報に基づく表示画面を出力させる制御手段とを備えることを特徴とするVOD受信再生装置。
【請求項２】
前記リアルタイム情報は、文字スーパー、あるいは、緊急映像であることを特徴とする請求項1に記載のVOD受信再生装置。
【請求項３】
前記リアルタイム情報検出手段でリアルタイム情報の終了が検出されると、自動的に、前記リアルタイム情報出力手段での出力を終了し、VOD配信サーバからの映像再生を再開することを特徴とする請求項１に記載のVOD受信再生装置。
【発明の詳細な説明】
【技術分野】
【０００１】
本発明は、VODの受信再生装置に係り、特にVODコンテンツ視聴中のリアルタイム情報の表示に関する。
【背景技術】
【０００２】
VODは、映画やスポーツなどのコンテンツを、ユーザが観たい時間帯に視聴することができ、一時停止や早送りも可能であるなど、ユーザにとって自由度の高い視聴スタイルを実現できるシステムである。その一方、VODでは、デジタル放送で送信されるニュース速報や気象情報などの文字スーパーのようなリアルタイムの情報は送信されない。
【０００３】
文字スーパーで通知される情報は重要な情報である場合が多いため、デジタル放送を視聴していないユーザにも文字スーパーの情報を通知することが望ましい。
【０００４】
デジタル放送以外のメディアを視聴中でも文字スーパーを画面上に表示できる方法については、特開２００５−３４１２００号公報などに述べられている。
【０００５】
【特許文献１】特開２００５−３４１２００号公報
【発明の開示】
【発明が解決しようとする課題】
【０００６】
特許文献１では、デジタル放送以外のメディアを視聴中でも画面上に文字スーパーを重ねて表示する方法が述べられているが、視聴中の映像の上に重ねて文字スーパーが表示されるのは、ユーザの映像視聴の妨げになる場合もある。特にVODでは、ユーザが有料視聴する場合が多いと考えられ、料金を払ってまで視聴しているにも関わらず、視聴映像の上に文字スーパーが重ねて表示されるのは、多くのユーザが受け入れ難い可能性が高い。
【０００７】
一方、映像を一時停止できない放送と違って、VODであれば映像の一時停止が可能であるため、一時停止中の映像ならば文字スーパーが重なって表示されても、受け入れられる可能性が高まる。
【０００８】
本発明は上記問題に鑑み、VODコンテンツ視聴中にデジタル放送の文字スーパーを受信した場合には、視聴中のVODコンテンツを自動的に一時停止させてから文字スーパーを表示することにより、映像視聴を妨げずに文字スーパーを表示できるようにして使い勝手の向上を図ることを目的とする。
【０００９】
また、上述においては、文字スーパーを代表的な例として挙げているが、文字スーパーと同等の緊急映像などであっても良く、本発明ではこれらを総称してリアルタイム情報とする。
【課題を解決するための手段】
【００１０】
本発明のVOD配信サーバに配信要求を行い映像情報を受信し、映像情報に基づく映像を再生するVOD受信再生装置は、リアルタイム情報を含むデジタル放送信号を受信するデジタル放送受信手段と、前記デジタル放送受信手段で受信されたデジタル放送信号からリアルタイム情報を検出するリアルタイム情報検出手段と、前記リアルタイム情報検出手段で検出されたリアルタイム情報に基づく表示画面を作成し、出力するリアルタイム情報出力手段と、前記リアルタイム情報検出手段でリアルタイム情報が検出されると、VOD配信サーバからの映像再生を自動的に一時停止させ、前記リアルタイム情報出力手段でリアルタイム情報に基づく表示画面を出力させる制御手段とを備える。
【００１１】
なお、前記リアルタイム情報は、文字スーパー、あるいは、緊急映像である。
【００１２】
また、前記リアルタイム情報検出手段でリアルタイム情報の終了が検出されると、自動的に、前記リアルタイム情報出力手段での出力を終了し、VOD配信サーバからの映像再生を再開する。
【発明の効果】
【００１３】
本発明のVOD受信再生装置によれば、前記リアルタイム情報検出手段でリアルタイム情報が検出されると、VOD配信サーバからの映像再生を自動的に一時停止させ、前記リアルタイム情報出力手段でリアルタイム情報に基づく表示画面を出力させることにより、映像視聴を妨げずにリアルタイム情報を表示できるようにして使い勝手の向上を図ることができる。
【発明を実施するための最良の形態】
【００１４】
以下の説明においては、文字スーパーを代表的な例として説明するが、上述したように、「文字スーパー」の代わりに「緊急映像」や「リアルタイム情報」としても良い。
【００１５】
図１は本発明によるVOD受信再生装置の第１実施例を示すブロック図である。図１において、１１は映像・音声を含むコンテンツを配信するコンテンツ配信サーバ、１２はネットワーク網、１３はデジタル放送アンテナ、１００はVOD受信再生装置、１０１はネットワーク網に繋ぐ通信端子、１０２はコンテンツ配信サーバにコンテンツ及びコンテンツ情報の取得要求を送信してコンテンツ及びコンテンツ情報を受信するネットワーク通信部、１０３は所望の信号を選択抽出するパケット分離部、１０４はデジタル放送入力端子、１０５は映像・音声・文字スーパー情報を含むデジタル放送を受信するデジタル放送受信部、１０６はデジタル放送の文字スーパー情報を検出する文字スーパー検出部、１０７は符号化された映像・音声信号を復号する復号部、１０８はメッセージ画面や文字スーパーなどのOSDデータを作成するOSDデータ作成部、１０９は復号された映像とOSDデータを合成するOSD合成部、１１０は合成された信号を出力する出力端子、１１１はリモコン、１１２はリモコンからの信号を受信するリモコン入力端子、１１３はリモコン入力端子からの信号を処理するユーザ入力処理部、１１４は各部を制御する制御部である。
【実施例１】
【００１６】
第１実施例の動作を以下に説明する。まず、VODコンテンツを視聴する動作を説明する。リモコン１１１からリモコン入力端子１１２を経由してVODコンテンツ視聴を開始させるための信号がユーザ入力処理部１１３に入力されると、制御部１１４は、ネットワーク通信部１０２に、通信端子１０１を経由してネットワーク網１２に繋がれているコンテンツ配信サーバ１１にコンテンツ配信を要求するように指示する。コンテンツ配信要求を受けたコンテンツ配信サーバ１１はコンテンツの配信を開始する。制御部１１４は、ネットワーク通信部１０２にコンテンツの受信を指示し、パケット分離部１０３に映像・音声信号の抽出を指示し、復号部１０７に対して映像・音声の復号を指示する。これにより、VODコンテンツの映像・音声が出力端子１１０から出力される。
【００１７】
つぎに、デジタル放送の文字スーパー情報を検出する動作を説明する。制御部１１４は、デジタル放送チャンネルのデジタル放送信号を受信するようにデジタル放送受信部１０４を制御するとともに、文字スーパー検出部１０６に文字スーパー情報の検出を指示する。受信するデジタル放送チャンネルについては、特定のチャンネルでも良いし、ユーザが事前に指定できても良い。文字スーパー検出部１０６は、パケット分離部１０３に文字スーパー情報の抽出を指示する。デジタル放送アンテナ１３からデジタル放送端子１０４を経由して受信したデジタル放送信号に文字スーパー情報が含まれていると、文字スーパー検出部１０６は文字スーパー情報の存在を検出し、制御部１１４に通知する。
【００１８】
つぎに、VODコンテンツを一時停止してから文字スーパーを重ねて表示する動作を説明する。制御部１１４は、文字スーパー情報の検出通知を受けると、ネットワーク通信部１０２に、通信端子１０１を経由してネットワーク網１２に繋がれているコンテンツ配信サーバ１１にコンテンツ配信一時停止を要求するように指示する。コンテンツ配信一時停止要求を受けたコンテンツ配信サーバ１１はコンテンツの配信を一時停止する。制御部１１４は、検出した文字スーパー情報のOSDデータの作成をOSDデータ作成部１０８に指示し、OSD合成部１０９を制御して一時停止中の映像に文字スーパーのOSDを合成して出力端子１１０から出力する。
【００１９】
図２は文字スーパー表示例を示す図である。VODコンテンツの一時停止映像２００の上にデジタル放送の文字スーパー２０１を重ねて表示している。
【００２０】
つぎに、文字スーパーを消去して自動的にVODコンテンツの一時停止を解除する動作を説明する。文字スーパー検出部１０６は文字スーパー情報の受信終了を検出すると、制御部１１４に文字スーパー受信終了を通知する。制御部１１４は、文字スーパー情報のOSDデータの合成を止めるようにOSD合成部１０９を制御する。さらに制御部１１４は、ネットワーク通信部１０２に、通信端子１０１を経由してネットワーク網１２に繋がれているコンテンツ配信サーバ１１にコンテンツ配信の再開を要求するように指示する。コンテンツ配信要求を受けたコンテンツ配信サーバ１１はコンテンツの配信を開始する。
【００２１】
図３は本実施例の処理の一例を示しており、VODコンテンツ再生中の状態からデジタル放送の文字スーパー情報を受信した場合の処理である。デジタル放送の文字スーパー情報を受信したか判定３０１し、文字スーパー情報を受信した場合には、VODコンテンツの再生中か判定３０２する。VODコンテンツ再生中の場合には、VODコンテンツの再生を一時停止３０３し、文字スーパーを表示３０４する。
【００２２】
この様に、VODコンテンツ視聴中にデジタル放送の文字スーパー情報を受信した場合には、自動的にVODコンテンツを一時停止させてから画面上に文字スーパーを表示し、文字スーパー情報の受信が終了した場合には文字スーパーを消去して自動的にVODコンテンツの一時停止を解除して再生を開始することにより、映像視聴を妨げることなく文字スーパーを表示できるため、ユーザの使い勝手を向上することができる。
【実施例２】
【００２３】
第２実施例の動作を以下に説明する。本実施例が第１実施例と異なるのは、文字スーパー表示中にユーザから一時停止解除操作を受けると、文字スーパーを消去してVODコンテンツの一時停止を解除する点である。その他は第１実施例と同じである。
【００２４】
まず、ユーザから一時停止解除の操作を受けて文字スーパーを消去し、VODコンテンツの一時停止を解除する動作を説明する。リモコン１１１からリモコン入力端子１１２を経由して、一時停止を解除するための信号がユーザ入力処理部１１３に入力されると、制御部１１４は、文字スーパー情報のOSDデータの合成を止めるようにOSD合成部１０９を制御するとともに、ネットワーク通信部１０２に、通信端子１０１を経由してネットワーク網１２に繋がれているコンテンツ配信サーバ１１にコンテンツ配信の再開を要求するように指示する。コンテンツ配信要求を受けたコンテンツ配信サーバ１１はコンテンツの配信を開始する。
【００２５】
図４は本実施例の処理の一例を示しており、VODコンテンツの一時停止映像に文字スーパーを重ねて表示している状態でユーザによるVOD一時停止解除の操作が行なわれた場合の処理である。VODコンテンツの一時停止中か判定４０１し、一時停止中の場合には、文字スーパーを表示中か判定４０２する。文字スーパー表示中の場合には、文字スーパーを消去４０３し、VODコンテンツの一時停止を解除４０４する。
【００２６】
本実施例では、自動的にVODコンテンツを一時停止させて文字スーパーを表示させた場合でも、ユーザから一時停止解除の操作を受け付けると、文字スーパーを消去してVODコンテンツの一時停止を解除して再生を開始することができる。
【図面の簡単な説明】
【００２７】
【図１】本発明に係るVOD受信再生装置の第１実施例を示すブロック図である。
【図２】本発明に係るVOD受信再生装置の文字スーパー表示画面例を示す図である。
【図３】本発明に係るVOD受信再生装置の第１実施例に関する処理手順例を示す図である。
【図４】本発明に係るVOD受信再生装置の第２実施例に関する処理手順例を示す図である。
【符号の説明】
【００２８】
１１  コンテンツ配信サーバ
１２  ネットワーク網
１３  デジタル放送アンテナ
１００  VOD受信再生装置
１０１  通信端子
１０２  ネットワーク通信部
１０３  パケット分離部
１０４  デジタル放送入力端子
１０５  デジタル放送受信部
１０６  文字スーパー検出部
１０７  復号部
１０８  OSDデータ作成部
１０９  OSDデータ合成部
１１０  出力端子
１１１  リモコン
１１２  リモコン入力端子
１１３  ユーザ入力処理部
１１４  制御部
２００  VODコンテンツ一時停止映像
２０１  デジタル放送の文字スーパー
３０１  文字スーパー情報受信判定ステップ
３０２  VOD再生判定ステップ
３０３  VOD一時停止ステップ
３０４  文字スーパー表示ステップ
４０１  VOD一時停止判定ステップ
４０２  文字スーパー表示判定ステップ          
４０３  文字スーパー消去ステップ
４０４  VOD一時停止解除ステップ
【図１】
2010081459.tif 000003
【図２】
2010081459.tif 000004
【図３】
2010081459.tif 000005
【図４】
2010081459.tif 000006